(57)【要約】【課題】付箋が必要な原稿に対して付箋を貼付する際にユーザの手間を軽減することができる貼付装置及びそれを備えた原稿読取装置を提供する。【解決手段】給紙トレイ１ａから取り込んだ原稿１００の画像を読み取り、原稿１００の捺印欄１００ａに捺印されているか否かを判定する。原稿１００に捺印されている場合、付箋貼付機構４により、所定長の付箋１０１を作成し、搬送中の原稿１００を、付箋貼付機構４に合わせて停止させる。停止した原稿１００に対して、付箋貼付機構４において作成された付箋１０１を貼付し、排紙トレイ１ｂに排紙する。【選択図】図１
2010034793.tif 000002
【特許請求の範囲】
【請求項１】
原稿に付箋を貼付する貼付装置において、
前記原稿に係る画像データを取得する取得手段と、
該取得手段が取得した画像データに、所定の画像データを含んでいるか否かを判定する判定手段と、
所定の画像データを含んでいる場合、原稿に付箋を貼付する貼付手段と
を備えることを特徴とする貼付装置。
【請求項２】
前記貼付手段が付箋を貼付する位置に、前記原稿を搬送する搬送手段と、
該搬送手段を制御して、原稿の停止位置を調整する調節手段と
をさらに備えることを特徴とする請求項１に記載の貼付装置。
【請求項３】
前記所定の画像データは、印影の画像データである
ことを特徴とする請求項１又は２に記載の貼付装置。
【請求項４】
付箋を作成する作成手段
をさらに備え、
該作成手段は、
長尺状の紙部材を所定長に切断する切断手段、及び、
前記所定長に切断された紙部材の一部に糊を塗布する塗布手段
を有する
ことを特徴とする請求項１から３の何れか一つに記載の貼付装置。
【請求項５】
原稿の一部に付箋を貼付することができる貼付位置まで原稿を搬送する貼付装置であって、
前記原稿に係る画像データを取得する取得手段と、
該取得手段が取得した画像データに、所定の画像データを含んでいるか否かを判定する判定手段と、
所定の画像データを含んでいる場合、原稿の一部が前記貼付位置に一致するように前記原稿の搬送を停止する搬送制御手段と
を備えることを特徴とする貼付装置。
【請求項６】
原稿の画像を読み取る読取手段と、
請求項１から５の何れか一つに記載の貼付装置と
を備える原稿読取装置において、
前記取得手段は、
前記読取手段が読み取った画像に基づいて、画像データを取得するようにしてある
ことを特徴とする原稿読取装置。
【発明の詳細な説明】
【技術分野】
【０００１】
本発明は、原稿に付箋を貼付することができる貼付装置及びそれを備えた原稿読取装置に関する。
【背景技術】
【０００２】
利用者が気がつくように、原稿に目印として付箋を貼り付ける場合がある。この場合、例えば原稿束の必要なページに付箋を貼り付けておくことで、利用者は、原稿が複数のページに亘る場合であっても、必要な情報を簡単に見つけることができ、また、重要な情報の見落としを低減できる。
【０００３】
特許文献１には、ファクシミリ送信する際に、原稿を読み取った後に、原稿に送信先等の情報を印字した付箋を貼り付けることができるファクシミリ装置が開示されている。特許文献１に記載の装置により、送信者又は原稿の他の利用者は、原稿の送信先等の処理結果を一目で把握することができる。また、特許文献１に記載された機能をコピー機能等を備える複合機にも適用することで、コピー内容等の処理結果をも把握することができる。
【特許文献１】特開平１−１１５３６５号公報
【発明の開示】
【発明が解決しようとする課題】
【０００４】
しかしながら、原稿の種類によっては、付箋が必要な原稿と、付箋が必要でない原稿とがあり、特許文献１に記載の装置では、斯かる判断を行うことができない。このような場合、例えばユーザ自身が、付箋が必要な原稿と必要でない原稿とに分類し、付箋が必要な原稿をファクシミリ送信等の処理を行う際に付箋を貼付する設定を行う等、ユーザによる操作が必要となる。
【０００５】
本発明は斯かる事情に鑑みてなされたものであり、その目的とするところは、付箋が必要な原稿に対して付箋を貼付する際にユーザの手間を軽減することができる貼付装置及びそれを備えた原稿読取装置を提供することにある。
【課題を解決するための手段】
【０００６】
本発明に係る貼付装置は、原稿に付箋を貼付する貼付装置において、前記原稿に係る画像データを取得する取得手段と、該取得手段が取得した画像データに、所定の画像データを含んでいるか否かを判定する判定手段と、所定の画像データを含んでいる場合、原稿に付箋を貼付する貼付手段とを備えることを特徴とする。
【０００７】
本発明に係る貼付装置は、前記貼付手段が付箋を貼付する位置に、前記原稿を搬送する搬送手段と、該搬送手段を制御して、原稿の停止位置を調整する調節手段とをさらに備えることを特徴とする。
【０００８】
本発明に係る貼付装置は、前記所定の画像データは、印影の画像データであることを特徴とする。
【０００９】
本発明に係る貼付装置は、付箋を作成する作成手段をさらに備え、該作成手段は、長尺状の紙部材を所定長に切断する切断手段、及び、前記所定長に切断された紙部材の一部に糊を塗布する塗布手段を有することを特徴とする。
【００１０】
本発明に係る貼付装置は、原稿の一部に付箋を貼付することができる貼付位置まで原稿を搬送する貼付装置であって、前記原稿に係る画像データを取得する取得手段と、該取得手段が取得した画像データに、所定の画像データを含んでいるか否かを判定する判定手段と、所定の画像データを含んでいる場合、原稿の一部が前記貼付位置に一致するように前記原稿の搬送を停止する搬送制御手段とを備えることを特徴とする。
【００１１】
本発明に係る原稿読取装置は、原稿の画像を読み取る読取手段と、本発明の何れか一つに記載の貼付装置とを備える原稿読取装置において、前記取得手段は、前記読取手段が読み取った画像に基づいて、画像データを取得するようにしてあることを特徴とする。
【００１２】
本発明では、原稿から読み取った画像データに、所定の画像データが含んでいる場合、原稿に付箋を貼付する。これにより、ユーザが原稿の種類を意識することなく、原稿に付箋を貼付することができ、付箋を貼付するユーザの手間を省くことができる。
【００１３】
本発明では、搬送する原稿の停止位置を調整できるため、付箋を貼付する位置を適宜変更できる。また、自動で調整を行う場合には、付箋を貼付する際のユーザの手間を省くことができる。
【００１４】
本発明では、捺印された原稿に対して付箋を貼付することができる。
【００１５】
本発明では、原稿に貼付する付箋を作成することができるため、付箋の長さなどを変更することができ、ユーザの自由度を向上させることができる。
【００１６】
本発明では、原稿から読み取った画像データに、所定の画像データが含んでいる場合、搬送中の原稿の所定位置が貼付位置に位置合わせを行うことができる。これにより、ユーザは、停止した原稿に対して付箋を貼付すればよく、ユーザの手間を軽減することができる。なお、付箋の貼付は、ユーザが行ってもよいし、自動で貼付するようにしてもよい。
【発明の効果】
【００１７】
本発明によれば、原稿から読み取った画像データに、所定の画像データが含んでいる場合、原稿に付箋を貼付することができる。これにより、ユーザが原稿の種類を意識することなく、原稿に付箋を貼付することができ、付箋を貼付するユーザの手間を省くことができる。
【発明を実施するための最良の形態】
【００１８】
以下、本発明に係る好適な実施形態について図面を参照して説明する。
【００１９】
（実施形態１）
図１は、実施形態１に係る原稿読取装置を上方から見た概略図である。実施形態１に係る原稿読取装置１は、給紙トレイ１ａ及び排紙トレイ１ｂと、原稿読取部２と、ユーザの操作を受け付ける操作部３と、付箋貼付機構（貼付手段）４とを備えている。給紙トレイ１ａは、複数枚の原稿１００をセットできる。原稿読取部２は、給紙トレイ１ａから原稿１００を１枚ずつ取り込み、原稿１００から画像を読み取った後、排紙トレイ１ｂに原稿１００を排出する。
【００２０】
付箋貼付機構４は、画像が読み取られた原稿１００に対して付箋１０１を貼付する。具体的には、原稿１００には捺印欄１００ａが作成されており、付箋貼付機構４は、捺印欄１００ａに捺印（図中では「回覧」印）されている場合、捺印された原稿１００に付箋１０１を貼付する。すなわち、実施形態１に係る原稿読取装置１では、原稿１００の画像を読み取り、捺印された原稿１００に対しては付箋１０１を貼付することができる。
【００２１】
図２は、原稿読取装置１を側方から見た概略図である。
【００２２】
原稿読取部２は、給紙トレイ１ａから排紙トレイ１ｂへ原稿１００を搬送する搬送機構（搬送手段）として、２つ一組の搬送ローラＲ１，Ｒ２，Ｒ３、ピックローラＲ４、給紙センサＳ１、搬送センサ（調節手段）Ｓ２、及び排紙センサＳ３を備えている。ピックローラＲ４は、給紙トレイ１ａから一部が突出するように設けられており、セットされた原稿１００を１枚ずつ装置内に送り出す。搬送ローラＲ１，Ｒ２，Ｒ３は、取り込んだ原稿１００を上下で挟持しつつ回転して排紙トレイ１ｂ側へ送り出す。給紙センサＳ１は、給紙トレイ１ａにセットされた原稿１００の有無を検知する。搬送センサＳ２は、搬送ローラＲ２近傍に設けられ、搬送中の原稿１００の先端を検知し、搬送される原稿１００の開始を検知する。排紙センサＳ３は、排紙トレイ１ｂ近傍に設けられ、原稿１００の後端を検知し、原稿１００の排紙の終了を検知する。各ローラＲ１，Ｒ２，Ｒ３，Ｒ４は、各センサＳ１，Ｓ２，Ｓ３の検知結果に基づいて、駆動制御される。
【００２３】
また、原稿読取部２は、原稿１００の画像を読み取る読取機構（読取手段）として、原稿１００の搬送路途中に設けられた読取センサＳ４を備えている。読取センサＳ４は、ＣＣＤ（Charge Coupled Devices）又はＣＩＳ（Contact Image Sensor）等のイメージセンサである。読取センサＳ４は、図示しない光源から搬送中の原稿１００に対して光が照射されたときに、原稿１００から反射した光を受光し、さらに電気信号に変換する。これにより、原稿読取部２は、変換された電気信号をデジタルデータにさらに変換することで画像データを生成することができる。なお、実施形態１では、原稿１００は、画像の読取面が上方となるように給紙トレイ１ａにセットされるものとする。従って、読取センサＳ４は、搬送される原稿１００の上方に位置するよう配設される。
【００２４】
付箋貼付機構４は、搬送路の排紙トレイ１ｂ側に設けられており、排紙トレイ１ｂに排出する直前に原稿１００に対して付箋１０１を貼付する。排紙トレイ１ｂに排出する直前に付箋１０１を貼付することで、貼付された付箋１０１が原稿１００の搬送途中で外れ、装置の故障を引き起こすおそれを低減できる。
【００２５】
次に、付箋貼付機構４について詳述する。図３（ａ）は、付箋貼付機構４の構成を上方から見た概略図であり、（ｂ）は付箋貼付機構４の構成を側方から見た概略図である。
【００２６】
付箋貼付機構４は、筐体４ａと、原稿１００に貼付する付箋１０１を作成するためのテープ本体４０を備えている。テープ本体４０は、長尺状の紙テープ（紙部材）が支持軸４０ａに巻回されて形成されている。付箋貼付機構４は、テープ本体４０から長尺状の紙テープを引き出すことができるように、支持軸４０ａを回転自在に筐体４ａに保持している。
【００２７】
付箋貼付機構４は、テープ本体４０から引き出した紙テープを搬送する搬送路を構成する第１から第４ローラ４１ａ，４１ｂ，４２ａ，４２ｂと、ガイド４３ａ，４３ｂとを備えている。また、付箋貼付機構４は、所定長の付箋１０１を作成するために、引き出した紙テープを切断する回転刃（作成手段）４４と、切断した紙テープに糊を塗布する糊付け機（作成手段）４５とを備えている。
【００２８】
第１ローラ４１ａは、テープ本体４０付近に設けられている。第１ローラ４１ａは、２つ一組のローラであり、テープ本体４０から引き出した紙テープを上下から挟持しつつ回転し、紙テープを前方に送り出すようになっている。前方とは、テープ本体４０の接線方向であって、テープ本体４０と反対方向で、筐体４ａの底面に向かう方向を言う。第１ローラ４１ａの前方には、ガイド４３ａ及び第２ローラ４１ｂが設けられている。第１ローラ４１ａが送り出した紙テープは、ガイド４３ａを通り、第２ローラ４１ｂに搬送されるようになっている。第２ローラ４１ｂは、第１ローラ４１ａと同様の構成としてあり、紙テープをさらに前方へ送り出すようになっている。
【００２９】
ガイド４３ａ及び第２ローラ４１ｂの間には、回転刃４４が設けられている。回転刃４４は、紙テープの搬送路と垂直に横断可能となっている。具体的には、紙テープの搬送路を挟んで２つのベルトローラ４４ａが設けられており、２つのベルトローラ４４ａにはベルト４４ｂが巻張されている。ベルト４４ｂは、ベルトローラ４４ａの回転に伴い、２つのベルトローラ４４ａ間を回転移動するようになっている。回転刃４４は、ベルト４４ｂと共に移動するようにベルト４４ｂに設けられている。これにより、ベルトローラ４４ａを回転させベルト４４ｂをベルトローラ４４ａ間で回転移動させることで、回転刃４４は、紙テープの搬送路を横断するようになっている。このように構成された回転刃４４を、搬送路を横断させることで、第１及び第２ローラ４１ａ，４１ｂ間の紙テープを切断することができる。
【００３０】
第２ローラ４１ｂの前方には、第２ローラ４２ａ及びガイド４３ｂが設けられている。第３ローラ４２ａとガイド４３ｂとは、間に空間を有するよう配置され、第２ローラ４１ｂから送り出された紙テープは、第３ローラ４２ａとガイド４３ｂとの間に送り出されるようになっている。なお、ガイド４３ｂは、筐体４ａの側面の一部を構成している。
【００３１】
第２及び第３ローラ４１ｂ，４２ａの間には、糊付け機４５が設けられている。糊付け機４５は、糊本体４５ａと、紙テープを糊本体４５ａに押し付ける押し付け部４５ｂとを備え、間に搬送路が介在するように設けられている。糊本体４５ａは、塗布する糊を表面に有しており、押し付け部４５ｂは、搬送路上の紙テープを糊本体４５ａの表面に押し付けるようになっている。これにより、糊本体４５ａへ押しつけられた部分に糊が塗布される。このように、紙テープを、回転刃４４により切断し、糊付け機４５により糊を塗布することで、原稿１００に貼付する付箋１０１を作成することができるようになっている。
【００３２】
第３及び第４ローラ４２ａ，４２ｂは、筐体４ａの底面に沿って設けられており、第４ローラ４２ｂは、第３ローラ４２ａよりテープ本体４０側に設けられている。ガイド４３ｂは、第３ローラ４２ａの外周に沿った曲面形状を有しており、第２ローラ４１ｂから送り出された紙テープの送出方向を第２ローラ４２ｂの方向へ転換させるようになっている。
【００３３】
第３及び第４ローラ４２ａ，４２ｂの間には、付箋センサ４６が設けられている。付箋センサ４６は、第３ローラ４２ａから送り出された紙テープの先端を検知する。詳しくは後述するが、筐体４ａの底面の一部には、開口（図示せず）が形成されており、第３及び第４ローラ４２ａ，４２ｂは、開口から露出するように設けられている。筐体４ａは、開口部分が原稿１００に圧接されるようになっており、第３及び第４ローラ４２ａ，４２ｂは、開口部分が原稿１００に圧接した状態で、付箋センサ４６が紙テープの先端を検知してから所定時間回転するようになっている。これにより、糊付け機４５により糊が塗布された紙テープは、底面の開口を介して原稿１００に貼付されるようになっている。
【００３４】
図４は、付箋貼付前後における付箋貼付機構４の筐体４ａの動作を示す模式図である。図５は、付箋貼付機構４で付箋を作成する際の動作を段階的に示す図である。
【００３５】
筐体４ａは、上述した底面の開口部分が原稿１００と密接する位置（図４（ｂ）参照）と、底面が原稿１００に対して所定角度傾斜する位置（図４（ａ）参照）との間を、回転支軸４ｂを中心に回動可能となっている。なお、筐体４ａは、原稿１００と密接する位置にある場合、第４ローラ４２ｂは、ローラ５０と密着し、ローラ５０とで紙テープを挟持し、回転するようになっている。
【００３６】
このような構成において、図４（ａ）に示すように、筐体４ａの底面が原稿１００に対して所定角度傾斜する位置にある場合に、テープ本体４０から引き出した紙テープを、第１ローラ４１ａにより前方に送り出す。これにより、テープ本体４０は支持軸４０ａを中心に回転し、紙テープをテープ本体４０から順次引き出すことができる（図５（ａ）参照）。
【００３７】
紙テープの先端が回転刃４４による切断位置を通過した後、所定時間第１及び第２ローラ４１ａ，４１ｂを回転させる。ここでの所定時間は、作成したい付箋１０１の長さによって決定される。例えば、長さＬの付箋１０１を作成したい場合、紙テープの先端が切断位置から距離Ｌ移動する間、第１及び第２ローラ４１ａ，４１ｂを回転させる。第１及び第２ローラ４１ａ，４１ｂを所定時間回転させた後、回転刃４４により紙テープを切断する（図５（ｂ）参照）。
【００３８】
紙テープを切断した後、第２及び第３ローラ４１ｂ，４２ａを回転させ、切断された紙テープの後端が糊付け機４５まで移動させる。そして、押し付け部４５ｂにより、紙テープの後端を糊本体４５ａに押し付けることで、紙テープに糊を塗布する（図５（ｃ）参照）。これにより、付箋貼付機構４において、所定長の付箋１０１を作成することができる。
【００３９】
所定長の付箋１０１を作成した後、図４（ｂ）に示すように、筐体４ａを回転させ、筐体４ａの開口部分を原稿１００に圧接する。そして、第３及び第４ローラ４２ａ，４２ｂを回転させ、付箋センサ４６が付箋１０１の先端を検知してからさらに所定時間、第３及び第４ローラ４２ａ，４２ｂを回転させる。ここでの所定時間は、糊付け機４５により糊が塗布された紙テープの部分が、筐体４ａの開口を介して原稿１００に貼付されるまでの時間である。これにより、作成した付箋１０１を原稿１００に貼付できるようになっている。
【００４０】
以上のように、本実施の形態に係る付箋貼付機構４は、図４（ａ）に示すように、筐体４ａを原稿１００から隔離して紙テープから付箋１０１を作成し、付箋１０１を作成した後に、図４（ｂ）に示すように、筐体４ａを原稿１００に圧接し、付箋１０１を原稿１００に貼付している。
【００４１】
次に、原稿読取装置１の電気的構成について説明する。図６は、原稿読取装置１の電気的構成を示すブロック図である。
【００４２】
原稿読取装置１は、制御部１１（判定手段）と、記憶部１２と、画像認識部１３と、原稿読取部２と、操作部３と、付箋貼付機構４とを備えている。原稿読取部２は、読取記憶２１と、搬送機構２２とを備えている。読取機構２１は、上述した読取センサＳ４等から構成され、原稿１００から画像を読み取り、画像データを生成する。搬送機構２２は、搬送ローラＲ１，Ｒ２，Ｒ３及びピックローラＲ４等から構成され、給紙トレイ１ａから排紙トレイ１ｂへ原稿１００を搬送する。
【００４３】
記憶部１２は、例えば、ＥＰＲＯＭ（Erasable Programmable ROM）であって、原稿読取部２の読取機構２１が生成した画像データを記憶する。画像認識部１３は、記憶部１２に記憶された画像データに、所定の画像データが含まれているか否かを検出する。例えば、画像認識部１３は、記憶部１２に記憶された画像データに基づいて、原稿１００に捺印欄１００ａとして所定寸法の矩形形状の画像が形成されており、矩形形状内の画像を認識する。
【００４４】
付箋貼付機構４は、付箋センサ４６、第１及び第２送りモータ４７ａ、４７ｂ、ベルトモータ４８、及び離接モータ４９等を備えている。付箋センサ４６は、上述したように、付箋１０１の先端を検知し、検知結果を制御部１１に出力する。第１送りモータ４７ａは、第１及び第２ローラ４１ａ，４１ｂをそれぞれ回転させる。第２送りモータ４７ｂは、第３及び第４ローラ４２ａ，４２ｂをそれぞれ回転させる。ベルトモータ４８は、ベルトローラ４４ａを回転させる。離接モータ４９は、筐体４ａを回転支軸４ｂを中心に回転させる。
【００４５】
制御部１１は、ＣＰＵ（Central Processing Unit）及びメモリ等を有するマイクロコンピュータを有し、原稿読取装置１全体の制御を行う。制御部１１は、例えば原稿読取部２の搬送機構２２及び、読取機構２１を制御して、読取機構２１に画像データを生成させる。また、制御部１１は、画像認識部１３が認識した矩形形状内の画像に基づいて、原稿に捺印されているか否かを判定し、捺印されている場合、付箋貼付機構４を制御し、原稿１００に付箋１０１を貼付する。
【００４６】
次に、原稿読取装置１の動作について説明する。
【００４７】
図７及び図８は、原稿読取装置１の動作を示すフローチャートである。図７及び図８に示す処理は、例えば原稿１００が給紙トレイ１ａにセットされ、操作部３からスタート操作されたときに、制御部１１により実行される。
【００４８】
制御部１１は、搬送機構２２を駆動し、搬送ローラＲ１，Ｒ２，Ｒ３の回転を開始する（Ｓ１）。次に、制御部１１は、ピックローラＲ４を数秒回転させ、給紙トレイ１ａにセットされた原稿１００の一枚を取り込む。（Ｓ２）。制御部１１は、読取機構２１において、取り込んだ原稿１００から画像を読み取り、画像データを生成する（Ｓ３）。なお、制御部１１は、生成した画像データを記憶部１２に記憶する。
【００４９】
次に、制御部１１は、画像認識部１３に画像認識処理を実行させる（Ｓ４）。例えば、制御部１１は、画像認識部１３に、記憶部１２に記憶された画像データに、原稿１００に捺印欄１００ａとして所定寸法の矩形形状の画像が形成されているかを判定させる。そして、矩形形状の画像が形成されている場合、制御部１１は、画像認識部１３に、矩形形状内に画像を認識させる。
【００５０】
次に、制御部１１は、画像認識部１３が認識した矩形形状内の画像に基づいて、原稿１００に捺印されているか否かを判定する（Ｓ５）。原稿１００に捺印されていない場合（Ｓ５:ＮＯ）、制御部１１は、処理をＳ１０に移す。原稿１００に捺印されている場合（Ｓ５:ＹＥＳ）、制御部１１は、搬送センサＳ２が原稿の先端を検知してから所定時間待機し（Ｓ６）、搬送ローラＲ１，Ｒ２，Ｒ３の回転を停止する（Ｓ７）。これにより、原稿１００を、付箋貼付機構４に対して位置合わせを行うことができる。そして、制御部１１は、後述の図８で説明する付箋貼付処理を行う（Ｓ８）。
【００５１】
付箋貼付処理後、制御部１１は、搬送ローラＲ１，Ｒ２，Ｒ３の回転を再開し（Ｓ９）、原稿１００が排紙されたか否かを判定する（Ｓ１０）。すなわち、制御部１１は、排紙センサＳ３が原稿１００の後端を検知したか否かを判定する。原稿１００が排紙されていなければ（Ｓ１０：ＮＯ）、制御部１１は、排紙されるまでＳ１０を繰り返す。原稿１００が排紙された場合（Ｓ１０：ＹＥＳ）、制御部１１は、給紙トレイ１ａに原稿１００があるか否かを判定する（Ｓ１１）。原稿１００が給紙トレイ１ａにある場合（Ｓ１１：ＹＥＳ）、制御部１１は、処理をＳ２に戻し、上述の処理を繰り返す。原稿１００が給紙トレイ１ａにない場合（Ｓ１１：ＮＯ）、制御部１１は、本処理を終了する。
【００５２】
Ｓ８の付箋貼付処理において、制御部１１は、紙テープを所定長Ｌ送り出す（Ｓ２１）。具体的には、制御部１１は、図５（ａ）に示すように、第１及び第２送りモータ４７ａ，４７ｂを駆動し、各ローラ４１ａ，４１ｂ，４２ａ，４２ｂを回転させる。そして、制御部１１は、紙テープが回転刃４４による切断位置から、先端が所定長Ｌ移動するまでの時間待機し、その後、各ローラ４１ａ，４１ｂ，４２ａ，４２ｂの回転を停止する。
【００５３】
制御部１１は、ベルトモータ４８を駆動し、第１及び第２ローラ４１ａ，４１ｂ間の紙テープを切断する（Ｓ２２）。その後、制御部１１は、切断した紙テープへの糊の塗布処理を行う（Ｓ２３）。具体的に、制御部１１は、第２から第４ローラ４１ｂ，４２ａ，４２ｂを回転させ、切断した紙テープの後端が糊付け機４５に位置するまで送り出す。そして、押し付け部４５ｂにより、紙テープを糊本体４５ａに押し付け、紙テープに糊を塗布する。これにより、付箋貼付機構４において、所定長Ｌの付箋１０１が作成される。
【００５４】
制御部１１は、離接モータ４９を駆動し、図４（ｂ）に示すように、筐体４ａを原稿１００に圧接させる（Ｓ２４）。そして、制御部１１は、第２、第３及び第４ローラ４１ｂ，４２ａ，４２ｂを回転させ、作成した所定長Ｌの付箋１０１を送り出す（Ｓ２５）。制御部１１は、付箋センサ４６が付箋１０１の先端を検知したか否かを判定する（Ｓ２６）。先端を検知していなければ（Ｓ２６：ＮＯ）、制御部１１は、検知するまでＳ２６を繰り返す。先端を検知した場合（Ｓ２６：ＹＥＳ）、制御部１１は、所定時間待機し（Ｓ２７）、第２、第３及び第４ローラ４１ｂ，４２ａ，４２ｂの回転を停止させる（Ｓ２８）。所定時間は、作成された付箋１０１が、筐体４ａの開口を介して原稿１００に貼付されるまでの時間である。その後、制御部１１は、離接モータ４９を駆動し、図４（ａ）に示すように、筐体４ａを原稿１００から離接させる（Ｓ２９）。そして、制御部１１は、本処理を終了し、処理を図７のＳ９に移す。
【００５５】
以上のように、実施形態１に係る原稿読取装置１は、原稿１００に捺印がされている場合、原稿１００に付箋１０１を貼付することができる。原稿１００が複数ページある場合であっても、付箋１０１を貼付したい原稿１００に捺印をすることで、各ページに付箋１０１を貼付することが可能となる。なお、付箋１０１を貼付する位置は、全て原稿１００の同じ位置としてもよいし、変更するようにしてもよい。図９及び図１０は、複数の原稿１００に付箋１０１を貼付した場合の模式図である。図９及び図１０に示すように、ページ毎に付箋位置をずらして貼付し、付箋１０１の貼付した原稿を把握しやすくするようにしてもよい。この場合、図７のＳ６で説明した、原稿読取装置１の搬送機構２２により原稿１００を搬送する搬送量は、付箋１０１を貼付する位置に応じて、適宜変更される。
【００５６】
なお、実施形態１では、原稿１００の捺印欄１００ａに「回覧」印の捺印がされている場合に付箋１０１を貼付しているが、捺印の種類はこれ以外であってもよいし、捺印欄１００ａ以外の場所に捺印されていても、付箋１０１を貼付するようにしてもよい。また、原稿１００に貼付する付箋１０１に必要な情報を印字できるようにしてもよい。
【００５７】
（実施形態２）
次に、本発明に係る原稿読取装置１の実施形態２について説明する。実施形態１に係る原稿読取装置１は、原稿１００を給紙トレイ１ａから取り込み、自動で付箋１０１を作成し、貼付しているが、実施形態２では、搬送中の原稿１００に捺印されている場合、その原稿１００をユーザが手動で付箋を貼付できる位置に停止させる。以下、実施形態１との相違点についてのみ説明する。
【００５８】
図１１は、実施形態２に係る原稿読取装置を上方から見た概略図である。
【００５９】
本実施形態に係る原稿読取装置１０は、付箋貼付機構４を備えておらず、排紙トレイ１ｂの近傍に付箋貼付エリア３０が形成されている。付箋貼付エリア３０は、ユーザが手動で原稿１００に対して付箋を貼付するエリアである。原稿読取装置１０は、実施形態１と同様に、給紙トレイ１ａから原稿１００を取り込み、原稿１００の捺印欄１００ａに捺印されているか否かを判定する。そして、原稿読取装置１０は、原稿１００に捺印されている場合、搬送中の原稿１００を停止する。このとき、原稿１００の付箋を貼付すべき貼付部分３１が、付箋貼付エリア３０付近で露出した状態で、停止するようになっている。原稿１００が付箋貼付エリア３０で停止した場合、ユーザにより操作部３のスタートボタンが操作されることで、原稿１００の搬送が再開される。
【００６０】
これにより、ユーザは、付箋貼付エリア３０で停止した原稿１００が付箋の貼付が必要な原稿であると認識でき、原稿１００が複数あっても、捺印されたページを探す作業が省くことができる。また、ユーザは、付箋を貼付しやすいように、原稿１００を停止させる位置決めを行う必要がなく、貼付部分３１に付箋を貼付する作業が容易となる。
【００６１】
なお、貼付部分３１を付箋貼付エリア３０で停止する際、ユーザにより、停止位置を変更できるようにしてもよいし、ユーザが所望の位置に付箋を貼付できるように、原稿１００の搬送量を微調整できるようにしてもよい。また、実施形態２に係る原稿読取装置１０の動作については、図８の付箋貼付処理が省略される以外、実施形態１と同様であるため、説明は省略する。
【００６２】
以上、本発明の好適な実施形態について、具体的に説明したが、各構成及び動作等は適宜変更可能であって、上述の実施の形態に限定されることはない。
【図面の簡単な説明】
【００６３】
【図１】実施形態１に係る原稿読取装置を上方から見た概略図である。
【図２】原稿読取装置を側方から見た概略図である。
【図３】（ａ）は、付箋貼付機構の構成を上方から見た概略図であり、（ｂ）は付箋貼付機構の構成を側方から見た概略図である。
【図４】付箋貼付前後における付箋貼付機構の筐体の動作を示す模式図である。
【図５】付箋貼付機構で付箋を作成する際の動作を段階的に示す図である。
【図６】原稿読取装置の電気的構成を示すブロック図である。
【図７】原稿読取装置の動作を示すフローチャートである。
【図８】原稿読取装置の動作を示すフローチャートである。
【図９】複数の原稿に付箋を貼付した場合の模式図である。
【図１０】複数の原稿に付箋を貼付した場合の模式図である。
【図１１】実施形態２に係る原稿読取装置を上方から見た概略図である。
【符号の説明】
【００６４】
１  原稿読取装置
２  原稿読取部
３  操作部
４  付箋貼付機構
１００  原稿
１００ａ  捺印欄
１０１  付箋
【図１】
2010034793.tif 000003
【図２】
2010034793.tif 000004
【図３】
2010034793.tif 000005
【図４】
2010034793.tif 000006
【図５】
2010034793.tif 000007
【図６】
2010034793.tif 000008
【図７】
2010034793.tif 000009
【図８】
2010034793.tif 000010
【図９】
2010034793.tif 000011
【図１０】
2010034793.tif 000012
【図１１】
2010034793.tif 000013